(57)【要約】【課題】本発明は、左右一対の靴を形崩れを防止しつつ上下立体配置にして体裁良く立体収納できる靴収納用部材を提供する。【解決手段】本発明の靴収納用部材は、左右一対の靴１０ａ、１０ｂ内に各々挿入されて靴１０ａ、１０ｂの形崩れを防止する靴サイズに応じて寸法変更が可能な形崩れ防止具２０が挿入された左右一対の靴１０ａ、１０ｂ内に、上下両端に設けた靴内底当接部を当接して左右一対の靴１０ａ、１０ｂを上下配置に立体収納可能とする保高部材２であることを特徴とするものである。【選択図】図１
2004121674.tif 000002
【特許請求の範囲】
【請求項１】
左右一対の靴内に上下の両端部を装着して、左右一対の靴を上下配置に立体収納可能とする保高部材であることを特徴とする靴収納用部材。
【請求項２】
左右一対の靴内に各々挿入されて靴の形崩れを防止する形崩れ防止具が挿入された左右一対の靴内に両端部を装着して、左右一対の靴を上下配置に立体収納可能とする保高部材であることを特徴とする靴収納用部材。
【請求項３】
左右一対の靴内に上下両端に設けた各靴内底当接部を当接して、左右一対の靴を上下配置に立体収納可能とする保高部材であることを特徴とする靴収納用部材。
【請求項４】
左右一対の靴内に各々挿入されて靴の形崩れを防止する形崩れ防止具が挿入された左右一対の靴内に上下両端に設けた靴内底当接部を当接して、左右一対の靴を上下配置に立体収納可能とする保高部材であることを特徴とする靴収納用部材。
【請求項５】
左右一対の靴内に、上下両端に各々４箇所又は２箇所に亙って設けた靴内底当接部を当接させて、左右一対の靴を上下配置に立体収納可能とする保高部材であることを特徴とする靴収納用部材。
【請求項６】
左右一対の靴内に各々挿入されて靴の形崩れを防止する形崩れ防止具が挿入された左右一対の靴内に、上下両端に各々４箇所又は２箇所に亙って設けた靴内底当接部を当接させて、左右一対の靴を上下配置に立体収納可能とする保高部材であることを特徴とする靴収納用部材。
【請求項７】
左右一対の靴のうち上側に配置される靴内に、上端側に設けた靴内底当接部を当接させ、下側に設けた跨ぎ片部で下側に配置される靴の側部を跨ぐ状態で、左右一対の靴を上下配置に立体収納可能とする保高部材からなことを特徴とする靴収納用部材。
【請求項８】
左右一対の靴のうち上側に配置される靴内に、上端側に設けた靴内底当接部を当接させ、下側に設けた前記靴内底当接部と一体の靴載部上に下側に配置される靴を載置する状態で、左右一対の靴を上下配置に立体収納可能とする保高部材からなことを特徴とする靴収納用部材。
【発明の詳細な説明】
【発明の属する技術分野】
本発明は、靴収納用部材に関し、詳しくは、左右一対の靴を形崩れを防止しつつ立体収納可能とした靴収納用部材に関する。
【従来の技術】
従来、家屋の玄関内等において脱いだ靴を置いておく場合、左右一対の靴を床面上に並べて揃えておくためにその占有面積が大となり、また、家族数が多い場合には多数の靴が並ぶため占有面積がより大きくなり、その収納場所に困り、体裁もよくないのが実情であつた。
また、例えば雨天等に屋外を歩いて濡れた靴をそのまま放置すると、特に靴の甲部分が形崩れしてしまうという問題から、靴の形崩れを防止する形崩れ防止具は存在するが、この場合、左右の靴を上下配置に立体的に収納できないという問題があった。
【発明が解決しようとする課題】
本発明は、上記従来の実情に鑑みて開発されたものであり、その目的とするところは、左右一対の靴を形崩れを防止しつつ上下立体配置にして体裁良く立体収納でき、靴の形状維持性能に優れるとともに家族数が多い場合においても玄関内空間の斬新な有効利用を図り体裁を整えることができる靴収納用部材を提供することにある。
【課題を解決するための手段】
上記課題を解決するために、請求項１記載の靴収納用部材は、左右一対の靴内に上下の両端部を装着して、左右一対の靴を上下配置に立体収納可能とする保高部材であることを特徴とするものである。
請求項２記載の靴収納用部材は、左右一対の靴内に各々挿入されて靴の形崩れを防止する形崩れ防止具が挿入された左右一対の靴内に、両端部を装着して左右一対の靴を上下配置に立体収納可能とする保高部材であることを特徴とするものである。
請求項３記載の靴収納用部材は、左右一対の靴内に上下両端に設けた各靴内底当接部を当接して、左右一対の靴を上下配置に立体収納可能とする保高部材であることを特徴とするものである。
請求項４記載の靴収納用部材は、左右一対の靴内に各々挿入されて靴の形崩れを防止する形崩れ防止具が挿入された左右一対の靴内に、上下両端に設けた靴内底当接部を当接して左右一対の靴を上下配置に立体収納可能とする保高部材であることを特徴とするものである。
請求項５記載の靴収納用部材は、左右一対の靴内に、上下両端に各々４箇所又は２箇所に亙って設けた靴内底当接部を当接させて、左右一対の靴を上下配置に立体収納可能とする保高部材であることを特徴とする靴収納用部材。
請求項６記載の靴収納用部材は、左右一対の靴内に各々挿入されて靴の形崩れを防止する形崩れ防止具が挿入された左右一対の靴内に、上下両端に各々４箇所又は２箇所に亙って設けた靴内底当接部を当接させて左右一対の靴を上下配置に立体収納可能とする保高部材であることを特徴特徴とするものである。
請求項１乃至６記載のような本発明の各靴収納用部材によれば、形崩れ防止具により左右一対の靴の形崩れを防止し、且つ、保高部材によりこれらを上下立体配置にして体裁良く立体収納することができ、靴の形状維持性能に優れ、複数の靴が有る場合でも玄関内空間等の斬新な有効利用を図り体裁を整えることができる。また、つま先側形保持体、連結部材、踵側保持具からなる形崩れ防止具は、靴サイズに応じて全体寸法の変更が可能であるため、男性用、女性用を問わず広範な利用を図ることができる。
請求項７記載の靴収納用部材は、左右一対の靴のうち上側に配置される靴内に、上端側に設けた靴内底当接部を当接させ、下側に設けた跨ぎ片部で下側に配置される靴の側部を跨ぐ状態で、左右一対の靴を上下配置に立体収納可能とする保高部材からなことを特徴とするものである。
請求項８記載の靴収納用部材は、左右一対の靴のうち上側に配置される靴内に、上端側に設けた靴内底当接部を当接させ、下側に設けた前記靴内底当接部と一体の靴載部上に下側に配置される靴を載置する状態で、左右一対の靴を上下配置に立体収納可能とする保高部材からなことを特徴とするものである。
請求項７、８記載のような本発明の各靴収納用部材によれば、前記保高部材によりこれらを上下立体配置にして体裁良く立体収納することができ、複数の靴が有る場合でも玄関内空間等の斬新な有効利用を図り体裁を整えることができる。
【発明の実施の形態】
以下に本発明の実施の形態について詳細に説明する。
図１乃至図７は、本発明の実施の形態の靴収納用部材１の構成を示すものである。
この靴収納用部材１は、左右一対の靴１０ａ、１０ｂ内に各々挿入され、これら靴１０ａ、１０ｂの図示例のような形崩れを防止する靴サイズに応じて寸法変更が可能な形崩れ防止具２０が挿入された左右一対の靴１０ａ、１０ｂ内に、例えば図３、図４に示すように、上下両端に各々設けた上側４個、下側４個の合計８個の靴内底当接部３を当接して、図１に示す如く両靴１０ａ、１０ｂを上下配置に立体収納可能とする保高部材２からなるものである。前記形崩れ防止具２０を挿入した靴１０ａを図２に示す。
前記靴収納用部材１は、形崩れ防止具２０の構造、形状等を限定することなく如何なる形崩れ防止具にも用いることができることは勿論であり、図示する形崩れ防止具２０は単なる一例である。
また、形崩れ防止具２０としては、例えば、図５乃至図７に示すように、靴１０ａの甲部分１０ｃの内部に挿入する前記靴１０ａのつま先側形状に対応させた略山形状で弾力性を有するつま先側形保持体１１と、全体として略直方体状に形成された連結部材１２の一端とを回動可能に連結している。
また、靴１０ａの踵部分１０ｄの内部に、後端に設けた当接湾曲部１３ｂを当接させる断面形状がコ状（下向きコ状）の踵側保持具１３と、前記連結部材１２の他端を回動可能に連結している。
つま先側形保持体１１と、連結部材１２の一端とは、図７に分解して示すように、つま先側形保持体１１の内側（靴１０ａの甲部分１０ｃとは直接接触しない側）に設けた平行配置の一対のピン受け部材１４に穿設した一対の受孔１５に、連結部材１２の一端に設けた一対の一端側突出ピン１６を嵌め付けることで互いに回動可能に連結されている。
また、踵側保持具１３と、連結部材１２の他端とは、同じく図７に分解して示すように、踵側保持具１３の垂直配置で対向する両側辺に対応配置で、且つ、各々等しいピッチで設けた多数の一対ずつの受孔１７のいずれかに、連結部材１２の他端に設けた一対の他端側突出ピン１８を嵌め付けることで、図６に示すように、互いに回動可能に連結されている。
更に、前記連結部材１２の他端と、踵側保持具１３との連結部分の位置は、一対の他端側突出ピン１８と、受孔１７との嵌め付け位置を替えることで連結部材１２又は踵側保持具１３の長さ方向に変更でき、これにより、靴サイズに応じて形崩れ防止具２０の図５に示す全体寸法Ｌを変更としている。
図５、図６中、１９は連結部材１２の両側辺を連結する辺に設けた操作つまみである。また踵側保持具１３の側辺の外側には、中央部に矢印２１、一端側に大きい靴マーク２２、他端側に小さい靴マーク２３が付され、靴サイズに応じた使用の便宜を図っている。更に、前記つま先側形保持体１１には、通風を図るための例えば６個程度の抜穴１１ａが設けられている。
前記保高部材２は、図３、図４に示すように、例えば、ステンレスの棒材からなる支持材５を４個用い、全体として横方向（靴１０ａの横側）から見た場合湾曲Ｘ状を呈し、前後方向（靴１０ｂの前側又は後側）から見た場合略Ｈ状を呈する形状に形成されている。すなわち、４個の支持材５を棒状の連結体４の両側に湾曲Ｘ状を呈するように溶接して一体化している。そして、保高部材２の上下両端に各々上側４個、下側４個の合計８個の小面積の靴内底当接部３を形成するようになっている。
本実施の形態の靴収納用部材１によれば、左右一対の靴１０ａ、１０ｂに対する前記形崩れ防止具２０の使用で形崩れを防止でき、且つ、保高部材２を使用することにより、図１に示すように、前記左右一対の靴１０ａ、１０ｂを上下立体配置にして体裁良く立体収納でき、これら靴１０ａ、１０ｂの形状維持性能に優れるとともに家族数が多い場合で複数足の靴１０ａ、１０ｂが有る状態でも、玄関内空間等の斬新な有効利用を図り体裁を整えることが可能となる。
次に、前記靴収納用部材１を構成する保高部材２の変形例について図８、図９、図１０及び図１１、図１２を参照して説明する。
図８、図９に示す靴収納用部材１を構成する保高部材２Ａは、例えば、ステンレス板製の角張った山形形状材３１を２個上下に突き合わせ接合して、全体として横方向（靴１０ａの横側）から見た場合、図８に示すように両側辺が中央部が小寸法、上下両端が大寸法となる弧状を呈する形状であり、前後方向（靴１０ｂの前側又は後側）から見た場合、略Ｈ状を呈する形状に形成されている。そして、上側の山形形状材３１の突出端の各隅部に、合計４箇所の上端部が平坦な靴内底当接部３１ａを形成するようになっている。下側の山形形状材３１も同様な構成となっている。
靴収納用部材１を構成するこの保高部材２Ａを使用することによっても、前記保高部材２の場合と同様、左右一対の靴１０ａ、１０ｂを上下立体配置にして体裁良く立体収納できる。
図１０に示す靴収納用部材１を構成する保高部材２Ｂは、図９に示す保高部材２Ａと略同様の構成であるが、前記靴内底当接部３１ａを省き、両山形形状材３１の突出端に上側に２箇所、下側に２箇所の合計４箇所の直線状を呈する靴内底当接部３１ｂを形成したものである。
靴収納用部材１を構成するこの保高部材２Ｂを使用することによっても、前記保高部材２の場合と同様、左右一対の靴１０ａ、１０ｂを上下立体配置にして体裁良く立体収納できる。
図１１、図１２に示す靴収納用部材１を構成する保高部材２Ｃは、例えば、ステンレス板製の角張った山形形状材４１を２個上下に突き合わせ接合するとともに、両山形形状材３１の突出端に、上側２箇所、下側２箇所の合計４箇所の直線状を呈する棒状材からなる靴内底当接部４１ａを溶接等で取り付けたことが特徴である。上側の２箇所の靴内底当接部４１ａと、下側の２箇所の靴内底当接部４１ａとは、図１１に示すように、各山形形状材４１に対する取り付け位置をずらしており、これにより、図１に示す場合と同様、左右一対の靴１０ａ、１０ｂを少しずれた状態で立体収納できるようにしている。
靴収納用部材１を構成するこの保高部材２Ｃを使用することによっても、前記保高部材２の場合と同様、左右一対の靴１０ａ、１０ｂを上下立体配置にして体裁良く立体収納することができる。
次に図１３、図１４を参照して本発明の変形例の靴収納用部材１Ａについて説明する。
この靴収納用部材１Ａは、左右一対の靴１０ａ、１０ｂのうち、上側に配置される靴１０ａ内に、上端側に設けた靴内底当接部５１ａを当接させ、下側に設けた跨ぎ片部５１ｂで下側に配置される靴１０ｂの両側部を跨ぐ状態で、左右一対の靴１０ａ、１０ｂを上下配置に立体収納可能とする保高部材２Ｄからなるものである。
保高部材２Ｄは、図３に示す保高部材２と近似した形状であるが、例えば、ステンレス製や金属製の棒状材を略Ｘ状に形成し、これらを連結棒５２にて一定間隔で連結し、且つ、靴１０ａ内に挿入される靴内底当接部５１ａよりも跨ぎ片部５１ｂ側の間隔を靴１０ｂの両側部を跨ぐような広幅として、左右一対の靴１０ａ、１０ｂを上下配置に立体収納するものである。
図１５、図１６は本発明の更に別の変形例を示すものであり、この靴収納用部材１Ｂは、左右一対の靴１０ａ、１０ｂのうち上側に配置される靴１０ａ内に、上端側に設けた一対の靴内底当接部６１ａを当接させ、下側に設けた前記靴内底当接部６１ａと一体の靴載部６２上に下側に配置される靴１０ｂを例えばつま先側を挟むように載置する状態（この場合靴１０ｂのつま先側がいずれの方向で載置されるかは問題ではない）で、左右一対の靴１０ａ、１０ｂを上下配置に立体収納可能とする保高部材２Ｅからなるものである。
保高部材２Ｅは、例えばステンレス製や金属製の棒状材を加工し、一対の靴内底当接部６１ａ、コ状の靴載部６２、これらを連結する一対の連結部６３を一体成形している。
このような靴収納用部材１Ａ、１Ｂによれば、前記保高部材２Ｄ、２Ｅｄにより、靴１０ａ、１０ｂを上下立体配置にして体裁良く立体収納することができ、複数の靴が有る場合でも玄関内空間等の斬新な有効利用を図り体裁を整えることができる。
【発明の効果】
請求項１乃至６記載の各発明によれば、形崩れ防止具により左右一対の靴の形崩れを防止し、しかも、保高部材によりこれらを上下立体配置にして体裁良く立体収納することができ、靴の形状維持性能に優れ、複数の靴が有る場合でも収容空間の有効利用、体裁の向上が可能であり、更には、男性用、女性用を問わず広範な利用を図ることができる靴収納用部材を提供することができる。
請求項７、８記載の各発明によれば、保高部材により上下立体配置にして体裁良く立体収納することができ、複数の靴が有る場合でも収容空間の有効利用、体裁の向上が可能な靴収納用部材を提供することができる。
【図面の簡単な説明】
【図１】本発明の実施の形態の靴収納用部材の使用状態を示す斜視図である。
【図２】図１に示す形崩れ防止具を靴内に挿入した状態の概略斜視図である。
【図３】本実施の形態の保高部材の正面図である。
【図４】本実施の形態の保高部材の側面図である。
【図５】図１に示す形崩れ防止具の斜視図である。
【図６】図１に示す形崩れ防止具の踵保持具を連結部材に対して回動させる状態の斜視図である。
【図７】図１に示す本実施の形態の形崩れ防止具の分解斜視図である。
【図８】本実施の形態の保高部材の変形例の正面図である。
【図９】本実施の形態の保高部材の変形例の側面図である。
【図１０】本実施の形態の保高部材の他の変形例の斜視図である。
【図１１】本実施の形態の保高部材の更に他の変形例の正面図である。
【図１２】本実施の形態の更に他の変形例の側面図である。
【図１３】本実施の形態の靴収納用部材の更に別の変形例の斜視図である。
【図１４】図１３に示す変形例の保高部材の側面図である。
【図１５】本実施の形態の靴収納用部材の更に他の変形例の斜視図である。
【図１６】図１５に示す変形例の保高部材の斜視図である。
【符号の説明】
１　　靴収納用部材
１Ａ　靴収納用部材
１Ｂ　靴収納用部材
２　　保高部材
２Ａ　保高部材
２Ｂ　保高部材
２Ｃ　保高部材
２Ｄ　保高部材
２Ｅ　保高部材
３　　靴内底当接部
４　　連結体
５　　支持材
１０ａ　靴
１０ｂ　靴
１０ｃ　甲部分
１０ｄ　踵部分
１１　　つま先側形保持体
１１ａ　抜穴
１２　　連結部材
１３　　踵側保持具
１３ｂ　当接湾曲部
１４　　ピン受け部材
１５　　受孔
１６　　一端側突出ピン
１７　　受孔
１８　　他端側突出ピン
１９　　操作つまみ
２０　　形崩れ防止具
２１　　矢印
２２　　靴マーク
２３　　靴マーク
３１　　山形形状材
３１ａ　靴内底当接部
３１ｂ　靴内底当接部
４１　　山形形状材
４１ａ　靴内底当接部
【図１】
2004121674.tif 000003
【図２】
2004121674.tif 000004
【図３】
2004121674.tif 000005
【図４】
2004121674.tif 000006
【図５】
2004121674.tif 000007
【図６】
2004121674.tif 000008
【図７】
2004121674.tif 000009
【図８】
2004121674.tif 000010
【図９】
2004121674.tif 000011
【図１０】
2004121674.tif 000012
【図１１】
2004121674.tif 000013
【図１２】
2004121674.tif 000014
【図１３】
2004121674.tif 000015
【図１４】
2004121674.tif 000016
【図１５】
2004121674.tif 000017
【図１６】
2004121674.tif 000018